(57)【要約】【課題】水を通して冷暖房する輻射式冷暖房装置に使用する放射パネルであり、デザインのコンセプトを阻害することなく熱放射効率を向上させる。【解決手段】放射パネル４はパネル本体５を備えており、室内に向く面に塗装２１が施されている。パネル本体５の下面に人目では視認し難い大きさの凹凸２０を形成し、凹凸２０を塗装層２１で被覆している。身体２２に近い部位ではもとより、身体から遠い部位でも熱線の受容面積が著しく大きくなる。その結果、形態係数を大きくして熱放射効率を向上できる。凹凸２０は視認できない程に小さいので、例えば放射パネル４の下面をフラットに見せたいといったデザインコンセプトを阻害することはない。【選択図】図４
2014190687.tif 000002
【特許請求の範囲】
【請求項１】
熱媒流体と被空調室との間で熱交換する熱放射部が形成されたパネル本体を備えており、前記パネル本体のうち室内に向く面には塗装層を設けている構成であって、
前記室内に向く面の全体又は大部分に、微細な無数の凹凸を、当該凹凸が前記塗装層に現れるようにして形成している、
放射パネル。
【請求項２】
熱媒流体と被空調室との間で熱交換する熱放射部が形成されたパネル本体を備えており、前記パネル本体のうち室内に向く面には塗装層を設けている構成であって、
前記室内に向く面の全体又は大部分に、室微細な無数の凹凸を、削り加工又は塑性加工若しくは薬品を用いたエッチングにより、当該凹凸が前記塗装層に現れるようにして形成している、
放射パネル。
【請求項３】
前記削り加工はサンドブラスト加工である一方、前記塑性加工はショットピーニング加工である、
請求項２に記載した放射パネル。
【請求項４】
熱媒流体と被空調室との間で熱交換する熱放射部が形成されたパネル本体を備えたパネル本体の室内に向く面に塗装層を設けて成る放射パネルの製造方法であって、
前記パネル本体を室内に向く面が平滑になった状態に製造してから、前記パネル本体の室内に向く面の全体又は大部分に、微細な無数の凹凸を、削り加工又は塑性加工若しくは薬品を用いたエッチングによって形成し、次いで前記パネル本体のうち室内に向く面に、薄い厚さで塗装を施すことにより、前記室内に向く面の全体又は大部分に微細な無数の凹凸を塗装層にも現れた状態に設けている、
放射パネルの製造方法。
【請求項５】
熱媒流体と被空調室との間で熱交換する熱放射部が形成されたパネル本体を備えたパネル本体の下面に塗装層を設けて成る天井用放射パネルの製造方法であって、
前記パネル本体のうち室内に向く面が平滑になった状態に製造してから、前記パネル本体の室内に向く面に塗装を施し、次いで、前記塗装により形成された塗装層の全面又は大部分に、微細な無数の凹凸を、削り加工又は塑性加工若しくは薬品を用いたエッチングによって形成している、
放射パネルの製造方法。
【発明の詳細な説明】
【技術分野】
【０００１】
本願発明は、輻射式冷暖房装置の主要要素として室の天井に配置される放射パネルとその製造方法に関するものである。
【背景技術】
【０００２】
建物等の冷暖房は室内の空気を介して熱交換する対流方式のエアコンが一般的であるが、近年、放射パネルを使用した輻射式冷暖房装置が普及しつつある。この輻射式冷暖房装置は、人体と放射パネルとの間で直接に熱を移動させるもので、ファンが存在しないため静粛性に優れている利点や、室のどこにいてもムラ無く冷暖房できる利点、冷風・温風の直撃がなくて快適性に優れている利点、熱交換の媒体は水でよいため環境負荷が小さい利点等を有している。
【０００３】
輻射式冷暖房装置における１つの課題は効率のアップであるが、これは放射パネルの表面積を増大させることで達成できる。そこで、本願出願人は、特許文献１において、放射パネルの下面に多数のフィンを設けることを開示した。また、特許文献２には、床置き式の輻射放熱式暖房器具において、放射パネルの表面に多数の凸条と溝条とからなる凹凸を形成することが開示されている。
【先行技術文献】
【特許文献】
【０００４】
【特許文献１】特開２００８−１２２０３６号公報
【特許文献２】特開２０１１−１８５５５５号公報
【発明の概要】
【発明が解決しようとする課題】
【０００５】
さて、放射パネルは人目に触れるものであるためデザインは大事であり、放射パネルをデザイナーがデザインすることも多い。このようにデザインが施されている場合、デザインのコンセプトを変更することなく効率をアップさせることが重要であるが、特許文献１はフィンを設けるということ自体が１つのデザインであるため、他のデザインに付加できるものではなく汎用性は低いと云える。
【０００６】
他方、特許文献２は表面の構造に関するものであるため特許文献１に比べると汎用性は高いが、図面に表示されているように凹凸が人の肉眼で視認できるため、凹凸の存在がデザインのコンセプトに合致しないことがある。例えば、放射パネルの露出面を平滑面に見えるように表示したいと、というデザインコンセプトには合致しないと云える。
【０００７】
本願発明はこのような現状に鑑み成されたものであり、様々なデザインへの適応性に優れつつ高い熱放射効率を確保した放射パネルを提供することを目的とするものである。
【課題を解決するための手段】
【０００８】
本願発明は、放射パネルとその製法とを含んでいる。天井用放射パネルは請求項１〜３で特定しており、このうち請求項１の発明に係る放射パネルは、熱媒流体と被空調室との間で熱交換する熱放射部が形成されたパネル本体を備えており、前記パネル本体のうち室内に向く面には塗装層を設けている構成であって、前記室内に向く面の全体又は大部分に、微細な無数の凹凸を、当該凹凸が前記塗装層に現れるようにして形成している。
【０００９】
請求項２の発明に係る放射パネルは、熱媒流体と被空調室との間で熱交換する熱放射部が形成されたパネル本体を備えており、前記パネル本体のうち室内に向く面には塗装層を設けている構成であって、前記室内に向く面の全体又は大部分に、室微細な無数の凹凸を、削り加工又は塑性加工若しくは薬品を用いたエッチングにより、当該凹凸が前記塗装層に現れるようにして形成している。
【００１０】
請求項２の削り加工は、何らかの手段でパネル本体又は塗装層の肉を除去する加工（表面を荒らす加工）を意味しており、例えば、カッターを使用した切削やワイヤブラシを用いた傷つけ加工などが含まれるが、請求項３の発明では、請求項２の削り加工としてサンドブラスト加工を採用している。また、請求項２の塑性加工は材料を除去せずに変形させて微細な凹凸を形成するものであり、例えばプレス機を使用した押圧加工が可能であるが、請求項３の発明では、塑性加工としてショットピーニング加工を採用している。
【００１１】
本願発明の凹凸は、微細な突条と溝条とが交互に存在するように凹凸が一方向に広がる態様と、例えば格子模様のように微細な凹凸が規則正しく複数方向に広がる場合と、独立した微細な突起（又は凹み）が面状にランダムに広がる存在する態様とを含んでいるが、請求項３の場合は、凹凸は面状にランダムに広がる態様になる。
【００１２】
請求項４の発明は製法に係るもので、この発明は、熱媒流体と被空調室との間で熱交換する熱放射部が形成されたパネル本体を備えたパネル本体の室内に向く面に塗装層を設けて成る放射パネルの製造方法において、前記パネル本体を室内に向く面が平滑になった状態に製造してから、前記パネル本体の室内に向く面の全体又は大部分に、微細な無数の凹凸を、削り加工又は塑性加工若しくは薬品を用いたエッチングによって形成し、次いで前記パネル本体のうち室内に向く面に、薄い厚さで塗装を施すことにより、前記室内に向く面の全体又は大部分に微細な無数の凹凸を塗装層にも現れた状態に設けている。
【００１３】
請求項５の発明も製法に係るもので、この発明は、熱媒流体と被空調室との間で熱交換する熱放射部が形成されたパネル本体を備えたパネル本体の下面に塗装層を設けて成る天井用放射パネルの製造方法において、前記パネル本体のうち室内に向く面が平滑になった状態に製造してから、前記パネル本体の室内に向く面に塗装を施し、次いで、前記塗装により形成された塗装層の全面又は大部分に、微細な無数の凹凸を、削り加工又は塑性加工若しくは薬品を用いたエッチングによって形成している。
【発明の効果】
【００１４】
本願発明では、１つ１つの凹凸を視認し難い程に微細化することにより、凹凸を全く又は殆どん目立たない状態に形成できる。このため、様々なデザインとの適合性に優れており、汎用性が極めて高い。また、表面に微細な無数の凹凸が存在することでパネルの表面積が格段に増大することと、熱源からの熱線が天井面に向けて斜め下方から照射されても熱線が凹凸の傾斜面に集中的に当たって高い受熱効率を確保できること、並びに吸熱及び放熱の効果を助長する塗装層まで凹凸が及んでいることとの相乗効果により、暖房時の放熱や冷房時の吸熱の効率を大きく向上できる。従って、本願発明は、各種のデザインのコンセプトを阻害することなく、冷暖房の効率を格段に向上させることができる。
【００１５】
パネル本体は、室内に向く面に無数の凹凸が形成された状態で製造することも不可能ではないが、このように製造することは非常に面倒である。この点、請求項２〜５のように後加工で凹凸を形成すると、傾斜面を有する無数の微細を凹凸を既存の技術で容易に加工できる。従って、経済性に優れている。特に、請求項３のようにサンドブラストやショットピーニングを採用すると、非常に微細な山形の凹凸を均一かつ容易に加工できるため、特に好適である。
【図面の簡単な説明】
【００１６】
【図１】本願発明を適用した建物の概略図である。
【図２】（Ａ）は第１実施形態に係る輻射式冷暖房装置の断面図、（Ｂ）は放射パネルのみの断面図である。
【図３】凹凸の加工手順を示す図である。
【図４】作用を示す図で、（Ａ）は人と放射パネルとの関係を示す概略図、（Ｂ）〜（Ｅ）はそれぞれ（Ａ）で表示したＢ〜Ｅの部分の拡大図、（Ｆ）は１つの突起の概念図である。
【図５】第２実施形態を示す図である。
【図６】第３実施形態を示す図である。
【図７】本願発明を適用できる他の形態の放射パネルの断面図である。
【発明を実施するための形態】
【００１７】
(1).第１実施形態の構造
次に、本願発明の実施形態を図面に基づいて説明する。まず、図１〜図４を参照して第１実施形態から説明する。
【００１８】
建物はコンクリート製の天井スラブ１を有しており、天井スラブ１の下方に、多数のパネルユニット２を縦横に整列して配置した輻射式冷暖房システム３が吊支されている。パネルユニット２は、平面視長方形の放射パネル４を複数枚並列配置して一体に連結することで構成されている。放射パネル４は、アルミ等の金属材料の押し出し加工品であるパネル本体５を有している。
【００１９】
図２に示すように、放射パネル４のパネル本体５は平らな基板を備えており、基板の下面は平坦面になっている。他方、基板の上面のうち幅方向の概ね中心部には、伝熱部の一例として上向きに開口した半円状のパイプ受け部７を設け、パイプ受け部７を挟んだ一方の側には第１〜第３の上向きリブ８，９，１０を一体に設け、パイプ受け部７を挟んだ他方の側には基板の外側にはみ出た階段状の係合段部１１を設けている。パイプ受け部７には熱媒体としての水が通るパイプ１２の下半分が嵌まっており、パイプ１２の上半分には断面半円状の押え部材１３が上から重なっている。
【００２０】
並列配置された放射パネル４の上には、それら放射パネル４の群を連結してパネルユニット２と成すための連結バー１４が、放射パネル４の長手方向と直交した方向に長く延びる姿勢で配置されている。連結バー１４は下向きに開口した断面コ字形になっており、その側板１４ａに形成した茸形の係合爪１５が、パネル本体５に設けた第２及び第３のリブ９，１０で挟み係止されている。連結バー１４は放射パネル４の長手方向に沿って飛び飛びで複数本配置されており、各連結バー１４は、平面視で当該連結バー１４と直交した姿勢の横桟部材１６に固定されている。敢えて述べるまでもないが、横桟部材１６は天井スラブ１に吊支されている。
【００２１】
パネル本体５を構成する基板の一端部と係合段部１１との間には横向きの連結空間１７が空いており、この連結空間１７に、隣に位置したパネル本体５の一側部が嵌まっている。これにより、複数枚の放射パネル４が隙間なく当接して全体として１枚板であるかのような外観を呈している。なお、図１では、隣り合ったパネルユニット２は隙間無く並べられているが、隣り合ったパネルユニット２の間に間隔を空けて、その間に通常の天井パネルを配置してもよい。
【００２２】
パネル本体５は、図３（Ａ）に示すように、その下面が平滑になった状態に製造されており、このような状態に製造してから、図３（Ｂ）に示すように、突起１８と凹み１９とから成っていて無数の傾斜面を有する凹凸２０を下面の全体に形成し、次いで、図３（Ｃ）に示すように、凹凸２０が形成された下面に塗装を施して塗装層（塗膜）２１を設ける。従って、人目に触れるのは塗装層２１であり、塗装層２１も傾斜面で構成された凹凸２０になっている。
【００２３】
凹凸１９はサンドブラスト加工によって形成しており、従って、実際には突起１８は散点状に多数存在していて、その形状や大きさ（平面積）、高さ、密度もまちまちであるが、図３では模式化して鋸歯状に表示している。サンドブラスト加工は様々な物品の表面の粗仕上げにも使用されるのもので、サンドがワークに衝突することで凹みができるが、基本的には材料を除去する削り加工である。そして、サンドブラス加工を施すと、表面は磨きをかけたような状態に見えるが、実際には、ワークの表面には、極めて微細な無数の凹凸が存在している。
【００２４】
本実施形態における凹凸１９の平均高さ、すなわち、多数の突起１８の高さ（或いは凹み１９の深さ）Ｈの平均値は、人目には視認できない程度で、できるだけ大きい値にするのが好ましい。換言すると、人目には存在が視認できない程度の凹凸２０が形成されるように、サンドブラストに使用するサンドの粒径を選択する。凹凸２０の最大高さ（Rz）は２００〜８００μｍ程度が好ましく、凹凸２０のピッチＰは１００〜７００μｍ程度が好ましい。塗装層２１は凹凸２０に倣う厚さでなければならず、具体的には、２〜２０μｍ程度でよい。
【００２５】
(2).第１実施形態のまとめ
図４では、人の身体２２と放射パネル４との間の熱の伝達関係を模式的に示している。すなわち、図４のうち（Ｂ）（Ｃ）（Ｄ）（Ｅ）は、（Ａ）に表示したＢ，Ｃ，Ｄ，Ｅの個所での熱線の当たり方を模式的に示している。そして、熱源としての人の身体２２からは全方向に向けて熱線が放射されているが、放射パネル４の群で構成された天井の放射面には、身体２２に近い箇所ほど放射量が多くなり、身体２２から遠ざかるほど放射量は少なくなる。
【００２６】
しかし、身体２２からの熱の放射面積は広く広がっているので、身体２２から放射された熱線を効率良く受けるには、身体２２に近い場所でも遠い場所でも、熱線の受容面積をできるだけ広くする必要がある。
【００２７】
この点、本実施形態では、放射パネル４の下面が多数の凹凸２０で構成されていて形態係数が高くなっているため、身体２２の真上に位置した箇所でも、身体２２から遠くて熱線の照射角度が天井面に対して傾斜している箇所でも、熱線の受容面積は単なる平坦面である場合に比べて格段に広くなっており、このため、身体２２の熱を天井面（放射面）の広い範囲で効率よく吸収できる。つまり、単位平面積当たりの熱の受容量を多くできると共に、広い範囲で熱を効率良く補集する状態で受容できるのであり、その結果、コンパクトでありながら高い冷暖房効果を発揮できる。
【００２８】
この点を更に詳述する。まず、傾斜面の効果を説明する。図４の分図（Ｆ）で示すように、熱線Ｒは面積を持った束として概念できるが、熱線の照射面が水平面に対して角度θ０で傾斜していると、熱線の照射面積は水平面に対してｃｏｓθだけ小さくなるため、単位面積当たりの受熱量が高くなる。このため、受熱面積が広くなるだけでなく、熱を有効に受けることができる。つまり、熱線は凹凸２０の表面に直交した方向から入射するのが最も効率的であるが、凹凸が傾斜面をから成っているため、斜め下方から照射された熱線も効率良く受熱できるのである。また、熱線の反射も抑制できる。
【００２９】
他方、図４（Ｂ）に示すように、凹凸２０の片側から熱線が照射された場合、一方の傾斜面では単位面積当たりの受熱量が高くなっても、他方の傾斜面では、熱線の照射角度θ２が水平面に対する照射角度θ１よりも小さくなるが、傾斜していることによって面積が大きくなっているため、他方の傾斜面での受熱総量は水平面である場合に比べて高くなっている。従って、結果として、熱線が斜め下方から照射された場合、パネルの下面が水平面である場合に比べて熱の受熱量が多くなるのである。分図（Ｄ）のように両側の傾斜面にそれぞれ逆方向から熱線が照射される場合は、受熱量はより一層高くなる。
【００３０】
次に、人の身体２２の真上に位置したエリア２３を見てみる。このエリア２３では、熱線は基本的には真下から照射されていると云えるが、熱源である身体は水平方向の広がりを持っているため、実際には、熱線はパネル４に対して真下から照射されたものと斜め下方とから照射されたものとの束よなっていると云える。そして、（Ｆ）を参照して説明したように、熱線が斜め下方から照射されても傾斜面によって効率的に受熱するため、パネル４の下面が平滑な水平面である場合に比べて受熱効率を向上できるのである。
【００３１】
人が室内を歩くと、放射パネル４の群よりなる放射面のうち人の熱を強く受ける範囲は人の歩行に従って変化して行くが、放射パネル４の凹凸２０は独立した多数の突起１８と凹み１９とで構成されているため、熱線がどの方向から照射されても同じ程度の能力で熱を吸収できる。従って、冷暖房のムラが生じることはない。
【００３２】
図４（Ｇ）では、突起１８を模式的に四角錐の形態に表示している。突起１８を構成する４つの面を正三角形と仮定すると、突起１８の全表面積は底面積の２倍になる。このことからも、本実施形態における放射パネル４の性能を理解できるであろう。そして、凹凸２０は非常に微細で視認し難いため、肉眼で見た目には放射パネル４の下面はフラットなままであり、従って、「下面をフラットに見せる」というデザインコンセプトを阻害することはないのである。
【００３３】
(3).他の実施形態
図５に示す第２実施形態では、パネル本体５の下面はフラットなままとして、塗装にて塗装層２１を形成してから、この塗装層２１にサンドブラストを掛けることで凹凸２０を形成している。従って、塗装層２１の厚さは第１実施形態の場合よりも厚くしている。塗装層２１を複数層重ね塗りして、これにサンドブラストを掛けて凹凸２０を形成することも可能である。また、ベースとなる塗装層２１に凹凸２０を形成してから、ごく薄い厚さで仕上げ塗装を施すことも可能である。
【００３４】
塗装層２１を形成してからサンドブラストを掛ける場合、凹凸２０がパネル本体５まで及んでいてもよい。但し、パネル本体５の地肌が露出すると熱の伝達効率が著しく悪化するので、パネル本体５の下面は常に塗装層２１で覆わっておく必要である。従って、凹凸２０が塗装層２１を突き破った状態に形成されてパネル本体５の地肌が散点状に露出する場合は、薄い厚さで仕上げ塗装を施すのが好ましい。
【００３５】
図６に示す第３実施形態では、パネル本体５の下面に微細な鋼球を当てるショットピーニング加工によって凹凸２０を形成し、それから塗装を施している。従って、放射パネル４の下面には無数の椀型の凹み１９がランダムに形成される。図６では凹み１９を同じ大きさに整然と表示しているが、実際には、凹み１９の大きさ（内径）や深さはまちまちになる。
【００３６】
本願発明は、図７に示すように、下面にフィン２４を設けた放射パネル４にも適用できる。また、図示していないが、放射パネル４の下面に人が視認できる大きさの鋸歯状の凹凸を形成して、その表面にサンドブラスト等で微細な凹凸２０を形成することも可能である。いずれにしても、本願発明の凹凸は極めて微細であるため、デザインの基本的なコンセプトを阻害することはない。
【００３７】
(4).その他
本願発明は、上記の実施形態の他にも様々に具体化できる。例えば、パネル本体の素材はアルミ等の金属には限らず、樹脂製であってもよい。金属製の場合、押し出し加工品や板材なども使用できる。パネル本体の形状も平面視で長方形には限らず、正方形や正六角形など様々な形態を採用できる。
【００３８】
凹凸の形成方法としては、例えば回転式のワイヤブラシで表面を擦り付けたり、外周に微細な突起を無数の突起を設けたローラを回転させながら押し付けたり、ワイヤブラシで塗装層を叩いたりと、様々な方法を採用できる。流体との熱交換手段としては、実施形態のようにパイプを使用することに代えて、パネル本体の一部に水が通る中空部を形成して、この中空部を伝熱部と成すことも可能である。
【００３９】
本願発明の放射パネル４は冷房と暖房との両方に適用できるが、冷房のみ又は暖房のみに使用することも当然に可能である。
【産業上の利用可能性】
【００４０】
本願発明の放射パネルは実際に製造できると共に、効果を発揮する。従って、産業上利用できる。
【符号の説明】
【００４１】
１  天井スラブ
２  パネルユニット
３  輻射式冷暖房装置
４  放射パネル
５  パネル本体
７  伝熱部の一例としてパイプ受け部
１２  水が通るパイプ
１８  突起
１９  凹み
２０  凹凸
２１  塗装層
２２  身体
【図１】
2014190687.tif 000003
【図２】
2014190687.tif 000004
【図３】
2014190687.tif 000005
【図４】
2014190687.tif 000006
【図５】
2014190687.tif 000007
【図６】
2014190687.tif 000008
【図７】
2014190687.tif 000009